(57)【要約】【課題】            理美容院でのパーマやカラーリング等の施術の際に、被施術者がゆっくりくつろいでもらうため、また施術者が施術作業に使用する理美容器具や薬剤を置いておくためのテーブルなど各種機能部材を選択的に取り付けることができるようにする。【解決手段】        理美容院等で使用する椅子の手摺り両側に外方に向けて係止部が設けられるホルダーを設け、該ホルダーに、被施術者に対するサービスまた施術者の施術作業に必要な器具や薬剤などを載置するためのテーブルなどの各種機能を有する装着部材が設けられる共通な係止杆を脱着自在に取り付け、目的に応じて前記装着部材を設けることによって、理美容室での被施術者への十分なサービスならびに施術者の作業を容易に行うことができる理美容椅子である。【選択図】          図１
0003132907.tif 000002
【実用新案登録請求の範囲】
【請求項１】
少なくとも片側の椅子手摺りの外側面に形成した係止部を有するホルダーに対して、施術者や被施術者が使用するテーブル、ボックス、クリップおよびハンガー等の装着部材に形成した係止杆を前記係止部に装着可能としたことを特徴とする理美容椅子。
【請求項２】
前記ホルダーの係止部がボックス形状を成しかつ該係止部が摩擦抵抗の大きな部材であることを特徴とする請求項１記載の理美容椅子。
【請求項３】
前記装着部材は１個ないし２個設けられ、２個の場合は同一のものまたは別個のものを選択的に取り付けることができることを特徴とする請求項１記載の理美容椅子。
【請求項４】
一方の手摺りに設けられる前記ハンガーに帯状テーブルを係止し、対面する手摺りに設けられる他方のハンガーに、該帯状テーブルの他端に設けられる係止具を係止させることによりテーブルを形成することを特徴とする請求項１記載の理美容椅子。
【考案の詳細な説明】
【技術分野】
【０００１】
本考案は、理美容院等で、被施術者のサービスや施術者の作業に多機能に対応させるための理美容椅子に関する。
【背景技術】
【０００２】
理美容院においては、調髪やブロー・セット等のスタイリング施術やパーマやカラーリング等の施術があり、これらの施術作業においては、施術者がさまざまな施術器具や薬剤等を使用する。
また被施術者においては、パーマやカラーリング等の施術の際に、頭髪にロッド等を巻いている時間や頭髪処理時のドライヤーやパーマ機などの使用またパーマ薬剤塗布後の放置時など長時間の待ち時間などがある。
【０００３】
この種の施術において、作業時に使用する器具や薬剤などを施術者の近傍に載置して使用しやすくするためワゴンや理美容椅子に装着されるトレーなどを使用していた。
また被施術者に対しては、前記した理美容椅子に装着されるトレーの他、椅子手摺りなどを変形させて、被施術者が小物や飲み物などを置くテーブルなどにして使用していた。
【０００４】
たとえば、実開昭５９−９１１５９号の考案は、椅子シートの支持板にテーブル部を有する回動自在なアームを取り付けることによって、テーブル上に施術時に使用する器具備品や薬剤などを載置できるようになっている。
また実開昭６３−１３５８３５号の考案にあっては、椅子シート昇降軸の上方部に椅子右側に突出するように施術に使用される理美容器具の係止部が複数個設けられている。
【０００５】
さらには、実用新案登録第３１２７８８５号の考案は、理美容椅子の手摺本体部の前方の切欠部に昇降自在な手摺りを設け、着座者が手などを置く手摺りとして使用、またこの手摺りを折り返して、テーブルを形成できるようにしている。
【０００６】
従来の理美容椅子に顧客が快適に過ごせるための配慮はなされていなかった。
また理美容院では、ネイルやフェイシャルなどの施術作業を行う際において、ネイルやフェイシャルで使用する化粧品や器具などを、被施術者が着座する理美容椅子の近傍にワゴン等で運んで施術作業を行うか、前記した特許分権に示すようにテーブルが取り付けられたアームなどを被施術者が着座する理美容椅子に立設して施術作業を行っている。
【０００７】
【特許文献１】実開昭５９−９１１５９号
【特許文献２】実開昭６３−１３５８３５号
【特許文献３】実用新案登録第３１２７８８５号
【考案の開示】
【考案が解決しようとする課題】
【０００８】
従来、被施術者がパーマやカラーリング等の施術を受ける場合の頭髪にロッド等を巻いている時間や頭髪処理時のドライヤーやパーマ機などの使用またパーマ薬剤塗布後の放置時など長時間の待ち時間などに雑誌を見たり飲み物を飲んだりしてリラックスした状態が望まれており、被施術者の携帯電話など顧客が手元においておきたい小物などを着座した椅子の前面に置かれているミラーユニットなどの棚やカウンター等に置かれなければならず、この場合、被施術者自身が姿勢を変えて手を伸ばしたり、椅子から身を乗り出したりする必要があった。
【０００９】
また雑誌などを読む場合などは、雑誌を別の場所から施術者が運んで来るか、前記したように椅子の前面に置かれているミラーユニットなどの棚やカウンター等に置かれなければならず、この場合、被施術者自身が姿勢を変えて手を伸ばしたり、椅子から身を乗り出したりする必要があった。
従って、被施術者に対しても余分な動作をさせ苦痛を強いられる等、リラックスした状態で施術を受けられないなどの問題があった。
【００１０】
ところで、特許文献１および特許文献２にあっては、理美容器具のみを載置するトレーが開示されており、いずれも椅子シートの昇降軸または椅子シート基板などにアームを介して設けられており、大掛かりで複雑な構造になるばかりでなく、非使用時には邪魔になるなど、使い勝手の悪いものとなっていた。
また理美容器具のみの係止であるため、被施術者にゆっくりくつろいでもらうための雑誌置きや飲み物置きなどに使用できないという課題があった。
【００１１】
さらに特許文献３にあっては、手摺りを二重にして外側へ広げることによりテーブルとして使用できるようにしているが、手摺りの幅の２倍のスペースではテーブルの面が広く取れず、テーブルとして使用する場合は着座者に近い位置でのテーブル使用となり、被施術者に対して狭小感を与え、かつテーブルとして使用している時は、手摺りとして使用できないため、ゆっくり座ってくつろぐという状態が確保できないという課題があった。
【００１２】
本考案は前記した課題を解決せんとするもので、その目的とするところは、理美容院でパーマやカラーリング等の施術の際に、被施術者に対してゆっくりくつろいでもらうため、被施術者所有の小物や飲み物などを置くことのできるテーブルや雑誌などを読む時に負担の掛からないようにする載置台、また施術者が施術作業に使用する理美容器具や薬剤を置いておくためのテーブルなどを、目的に合わせて自在にかつ簡易に装着できるようにした理美容椅子を提供せんとするにある。
【課題を解決するための手段】
【００１３】
本考案の理美容椅子は、前記目的を達成せんとするもので、請求項１の手段は、少なくとも片側の椅子手摺りの外側面に形成した係止部を有するホルダーに対して、施術者や被施術者が使用するテーブル、ボックス、クリップおよびハンガー等の装着部材に形成した係止杆を前記係止部に装着可能としたことを特徴とする。
【００１４】
また前記ホルダーの係止部がボックス形状を成しかつ該係止部が摩擦抵抗の大きな部材であることを特徴とする。
【００１５】
また前記装着部材は１個ないし２個設けられ、２個の場合は同一のものまたは別個のものを選択的に取り付けることができることを特徴とする。
【００１６】
一方の手摺りに設けられる前記ハンガーに帯状テーブルを係止し、対面する手摺りに設けられる他方のハンガーに、該帯状テーブルの他端に設けられる係止具を係止させることによりテーブルを形成することを特徴とする。
【考案の効果】
【００１７】
本考案の理美容椅子は、前記ホルダーに各種機能を有する装着部材を目的に応じて取り付けることができ、例えば被施術者がパーマやカラーリング等の施術を受けている際に、頭髪にロッド等を巻かれている時間や頭髪処理時のドライヤーやパーマ機などの使用時またパーマ薬剤塗布後の放置時など長時間の待ち時間などに、雑誌のラックやテーブルを取り付けることにより、被施術者は動くことなく着座した状態でリラックスした状態で雑誌を見たり飲み物を飲んだりすることができる。
【００１８】
また前記した雑誌や飲み物また被施術者の所有する携帯電話など顧客が手元においておきたい小物などを手元に置くことができ、被施術者自身が姿勢を変えて手を伸ばしたり、椅子から身を乗り出して着座した椅子の前面に置かれているミラーユニットなどの棚やカウンター等に置く必要もなく、無理な動作を強いることもない。
【００１９】
また施術者にとっては、前記被施術者に対して十分なサービスができるだけでなく、被施術者に対しても気を使うこともない。
さらにはネイルやフェイシャルなどの施術作業を行なう際には、ホルダーにテーブルなどを取り付けておくと、このテーブルにネイルやフェイシャルなどの施術に必要な化粧品や備品また器具などを載せて使用することができるため一石二鳥として使い勝手の良いものとなっている。
【考案を実施するための最良の形態】
【００２０】
本考案は、理美容院等で使用する椅子の手摺り両側に外方に向けて係止部が設けられるホルダーを設けることによって、該ホルダーに、被施術者に対するサービスまた施術者が施術に必要な理美容器具や薬剤などを載置するためのテーブルなどの各種機能を有する装着部材が設けられる共通の係止杆を脱着自在に取り付け、目的に応じて前記ホルダーに前記装着部材が設けられる係止杆を係止させることにより、理美容室での被施術者への十分なサービスならびに施術者の作業を容易に行うことができる理美容椅子である。
【実施例１】
【００２１】
以下、本考案に係る理美容椅子の一実施例を図面とともに説明する。
図１は手摺りにホルダーが取り付けられた状態の全体図、図２はホルダーにテーブルとボックスが取り付けられた状態の全体図、図３はホルダー部の拡大図、図４はテーブルが取り付けられた状態の拡大図、図５は帯状テーブルをテーブルとして使用する状態の全体図、図６は帯状テーブルが対面する手摺りのホルダーに係止された状態の拡大図、図７はホルダーに帯状テーブルを退避した状態の全体図である。
【００２２】
１は椅子基台、２はシート、３は背凭れ、４は手摺り、５はステップである。
６はホルダーであり、６ａは前記ホルダー６を椅子手摺りに取り付けるための取付ブラケット、６ｂは係止部であり、ボックス形状を成し、樹脂やゴムなどの摩擦抵抗の大きな部材で構成されている。
【００２３】
７は被施術者への飲み物やネイルなどの施術を行う際に器具や化粧品などを載置するテターブルであり、該テーブル７を取り付けるための係止杆７ａを、椅子手摺り４に設けられる前記ホルダー６の係止部６ｂに装入係止されることにより設けられる。
８は被施術者の所有する携帯電話や小物などを収容するためのボックスであり、該ボックス８を取り付けるための係止杆８ａを、椅子手摺り４に設けられる前記ホルダー６の係止部６ｂに装入係止されることにより設けられる。
【００２４】
９は後述する帯状テーブル１２を設置したり、雑誌収納用ラックなどを係止したり、その他の部材を引っ掛けるためのハンガーであり、該ハンガー９を取り付けるための係止杆９ａを、椅子手摺り４に設けられる前記ホルダー６の係止部６ｂに装入係止されることにより設けられる。
【００２５】
雑誌などを収容しておくラックを設ける場合は、該ラック１０に設けられるフック１０ａを、前記ハンガー９に係止することで設けられる。
１１は被施術者への頭髪のカットやセット時などに被施術者を覆うための刈り布（図示せず）などを張設するためのクリップであり、同様に該クリップ１１を取り付けるための係止杆１１ａを、椅子手摺り４に設けられる前記ホルダー６の係止部６ｂに装入係止されることにより設けられる。
【００２６】
１２は帯状テーブルであり、１２ａは係止具であり、該係止具１２ａには係止溝１２ｂが設けられている。
帯状テーブル１２は、一端が袋状に形成され、前記ハンガー９に装入装着されることにより係止され、前記帯状テーブル１２の他端には断面がコ字形状を成した係止具１２aが設けられている。該係止具１２ａを対面する手摺り４側のホルダー６に前記コ字形状を成した係止具１２ａを係止することによりテーブルとして使用できるようにしている。
なお、７ａ、８ａ、９ａ、１０ａはそれぞれ同じ形状を有する共通の係止杆であり、木や金属の硬質部材で形成され、先端部がＬ字形状を成している。
従って、手摺り４に設けられるホルダー６に設けられるボックス状の係止部６ｂは、樹脂やゴムなどの摩擦抵抗の大きな部材で構成されているため、木や金属などで形成される各種装着部材に設けられる係止杆７ａ、８ａ、９ａおよび１１ａは前記摩擦抵抗部材によって、外れたり、容易に落下することはない。
【００２７】
以上の構成により、使用例を説明すると、
図２においては、着座した被施術者から見て左側の手摺り４に設けられるホルダー６にはテーブル７が取り付けられており、右側の手摺り４のホルダー６にはボックス８が設けられている。
従って、被施術者はテーブル７に飲み物を載置して、前記ボックス８には被施術者の所有する携帯電話やその他小物類を入れておくことができ、携帯でメールをしながら、コーヒーブレイクができる。
【００２８】
また前記ボックス８の代わりに、前記ハンガー９の係止杆９ａに雑誌等を収納するラック１０を取り付けることにより、飲み物を飲みながら、雑誌を楽しむことができるものである。
さらには被施術者が雑誌などを読む際に被施術者に負担を掛けないようにするため、図５に示すように被施術者の前方部に帯状テーブル１２を渡して雑誌を載置して読めるようにすることができるようにしている。
【００２９】
手摺り４に設けられる一方のホルダー６に、共通の係止杆９aが設けられるハンガー９に帯状テーブル１２の一方を係止しておき、該帯状テーブル１２の他端に設けられる係止具１２ａの係止溝１２ｂを、対面する他方の手摺り４に設けられるハンガー９に前記係止溝１２ｂを係止することによって、帯状のテーブルが簡易に装着でき、この帯状テーブル１２に雑誌などを載置して雑誌を読むことができ、被施術者に負担を掛けることはない。
【００３０】
また前記帯状テーブル１２を必要としない場合は、図７に示すように、帯状テーブル１２の他端に設けられる係止溝１２ｂをハンガー９に係止しておくことで退避させておくことができる。
さらには、前記した各種機能を有する装着部材を目的に応じて、１ないし２の装着部材を取り付けることができ、また２個同じ機能のもの、また左右別々の装着部材を取り付けることができるようになっており、目的に応じて適宜選択的に取り付けることができる。
【００３１】
前記した実施例のホルダー６の取付位置や部材は適宜変更しえるものであり、また他の選択し得る機能を有する装着部材であれば前記共通の係止杆に取り付けることによって自由に目的に応じた機能を有する装着部材を採用することができるものである。
【図面の簡単な説明】
【００３２】
【図１】本考案に係る手摺りにホルダーが取り付けられた状態の全体図である。
【図２】本考案に係るホルダー部の拡大図である。
【図３】本考案に係る手摺本体部を示す側面図である。
【図４】本考案に係るテーブルが取り付けられた状態の拡大図である。
【図５】本考案に係る帯状テーブルをテーブルとして使用する状態の全体図である。
【図６】本考案に係る帯状テーブルが対面する手摺りのホルダーに係止された状態の拡大図である。
【図７】本考案に係るホルダーに帯状テーブルを退避した状態の全体図である。
【符号の説明】
【００３３】
１          椅子基台
２          シート
３          背凭れ
４          手摺り
５          ステップ
６          ホルダー
６ａ        取付ブラケット
６ｂ        係止部
７          テーブル
８          ボックス
９          ハンガー
１０        ラック
１１        クリップ
１２        帯状テーブル
７ａ、８ａ、９ａ、１１a  係止杆
１２ａ      係止具
【図１】
0003132907.tif 000003
【図２】
0003132907.tif 000004
【図３】
0003132907.tif 000005
【図４】
0003132907.tif 000006
【図５】
0003132907.tif 000007
【図６】
0003132907.tif 000008
【図７】
0003132907.tif 000009